(57)【特許請求の範囲】
【請求項１】
Prevotella intermedia、Prevotella intermediaに特異的なたんぱく質、および、Prevotella intermediaに特異的なアミノ酸配列を有するペプチドよりなる群から選択される少なくとも１つを含有し、
被験者検体中のPrevotella intermediaに対する抗体の量を測定することを特徴とするアテローム血栓性脳梗塞およびその病態の検査薬。
【請求項２】
前記抗体がＩｇＧ抗体、ＩｇＡ抗体およびＩｇＭ抗体を合わせたImmunogulobulinsである請求項１に記載の検査薬。
【請求項３】
前記抗体がＩｇＧ抗体である請求項１に記載の検査薬。
【請求項４】
アテローム血栓性脳梗塞およびその病態を検査するために、被験者検体中のPrevotella intermediaに対する抗体の量を測定する方法。
【請求項５】
該方法は被験者由来の被験試料に、Prevotella intermedia、Prevotella intermediaに特異的なたんぱく質、および、Prevotella intermediaに特異的なアミノ酸配列を有するペプチドよりなる群から選択される少なくとも１つを接触させる工程、
前記試料中のPrevotella intermediaに対する抗体と、該試料と接触させたPrevotella intermedia、Prevotella intermediaに特異的なたんぱく質、および、Prevotella intermediaに特異的なアミノ酸配列を有するペプチドよりなる群から選択される少なくとも１つとの間で抗原抗体反応が生じ得る条件でインキュベートする工程、
抗原抗体反応によりPrevotella intermedia、Prevotella intermediaに特異的なたんぱく質、および、Prevotella intermediaに特異的なアミノ酸配列を有するペプチドよりなる群から選択される少なくとも１つに結合した前記試料由来のPrevotella intermediaに対する抗体量を測定する工程、および、
前記抗体量に関する測定値に基づいて前記被験者の脳梗塞およびその病態を判定する工程を含む請求項４に記載の方法。
【請求項６】
前記抗体がＩｇＧ抗体、ＩｇＡ抗体およびＩｇＭ抗体を合わせたImmunogulobulinsである請求項４または５に記載の方法。
【請求項７】
前記抗体がＩｇＧ抗体である請求項４または５に記載の方法。
【発明の詳細な説明】
【技術分野】
【０００１】
本発明は、脳梗塞およびその病態の検査薬並びに検査方法に関するものである。
【背景技術】
【０００２】
脳卒中とは脳血管の障害により出血あるいは虚血を引き起こす疾病である。なかでも、脳梗塞は、脳における動脈の閉塞、または狭窄により、脳虚血をきたし、脳組織が酸素、または栄養の不足により壊死、あるいは壊死に近い状態になる。
【０００３】
脳梗塞は、日本人における死亡原因の第３位を占める高頻度な疾患であり、後遺症を残して介護が必要となることが多く、福祉の面でも大きな課題を伴う疾患である。平成１７年度における推計患者数は、約２６万人であり、約８万人が死に至っている。また、高齢化により、今後はさらに患者数が増加する傾向にある。
厚生労働省より、２００８年８月２８日に公開された「平成１８年度国民医療費の概況について」によれば、循環器系疾患の医療費は、５７，７２５億円であり、総医療費２５０，４６８億円の２３％を占めている。
【０００４】
脳梗塞の症状は、徐々に進行して増強してくるものから、突然に完成するものまで千差万別である。
脳梗塞は、血管が閉塞する機序によって、血栓性・塞栓性・血行力学性の３種類に分類され、また、臨床分類としてアテローム血栓性脳梗塞・心原性脳塞栓・ラクナ梗塞・その他の脳梗塞の４種類の病態に分類される（ＮＩＮＤＳ：National Institute of Neurological Disorders and Stroke米国国立神経疾患・脳卒中研究所による分類）。
【０００５】
アテローム血栓性脳梗塞は、動脈硬化によって動脈壁に沈着したアテローム（粥腫）のため動脈内腔が狭小化し、十分な脳血流を保てなくなったものである。また、アテロームが動脈壁から剥がれ落ちて末梢に詰まったものもアテローム血栓症に分類される。リスクファクターは、喫煙、肥満、糖尿病、脂質異常症や高血圧である。
【０００６】
塞栓性（脳塞栓症）は、脳血管の病変ではなく、より上流から流れてきた血栓（栓子）が詰まることで起こる脳梗塞である。それまで健常だった血流が突然閉塞するため、壊死範囲はより大きく、症状はより激烈になる傾向がある。原因として、最も多いのは、心臓で生成する血栓であり、そのほとんどは不整脈（心房細動）に起因する心原性脳塞栓である。脳塞栓症では、高率に（３０％以上）出血性梗塞を起こしやすい。心房細動は無症状のことも多く、心機能もそれほど低下しないため、特に無症状の場合は、合併する脳塞栓の予防が最も重要になる。
【０００７】
ラクナ梗塞は、本来、直径１５ｍｍ以下の小さな梗塞を意味する。しかし、この梗塞は上記の２種類とは違った機序が関わっている。主に、中大脳動脈や後大脳動脈の穿孔枝が硝子変性を起こして閉塞するという機序による。ただし、中大脳動脈穿孔枝のうち、レンズ核線状体動脈の閉塞では、線状体内包梗塞と呼ばれる直径２０ｍｍ以上の梗塞となることがあり、片麻痺や感覚麻痺、同名半盲などの症状が現れることもある。後大脳動脈穿孔枝の梗塞では、ウェーバー症候群やベネディクト症候群を起こすことがある。
【０００８】
一時的に血圧が下がったために、脳の一部が十分な血流を得ることができなくなって壊死に陥ったものを血行力学性脳梗塞という。血栓性や塞栓性では壊死しにくい分水嶺領域に発症することが特徴的である。分水嶺領域とは、どの動脈に栄養されているかで脳を区分した時に、その境目に当たる領域のことである。
【０００９】
脳梗塞は、壊死した領域の巣症状で発症するために症例によって多彩な症状を示す。主な症状として、麻痺（運動の障害）、感覚障害、失調、意識障害、構音障害、嚥下障害、高次脳機能障害などがある。
【００１０】
脳梗塞の診断には、神経学的所見、検査所見（血液検査）、画像所見などによって行われる。神経学的所見には、「意識の状態」、「言葉を話したり理解したりすること」、「瞳孔や目の動き」、「顔面や手足の運動、感覚」などがある。これによって、脳のどの場所に梗塞や出血があるか、その程度はどうかについて調べられる。
【００１１】
また、脳梗塞と類似する症状をもつ他の疾患（てんかん、代謝性脳症、脳炎、多発性硬化症、脳腫瘍、外傷など）を鑑別するために、血液検査、Ｘ線検査、ＣＴ（コンピュータ断層撮影）、ＭＲＩ（核磁気共鳴画像）のほか、脳波、髄液検査などが行われる。
ただし、脳梗塞の予知的な検査はないのが実状である。
【００１２】
一方、歯周病は、歯肉（歯ぐき）、歯根膜、歯槽骨（あごの骨）など、歯を支えている歯周組織の病気であり、歯周病は細菌によって引き起こされる感染症であるが、近年、冠疾患との関連性が報告されている。
歯周病は、まず歯肉が炎症を起こす歯肉炎から始まる。歯肉に炎症が起きて腫れると、歯と歯肉との間の溝（歯肉溝）が深くなり、これを歯周ポケットという。歯周ポケットには歯垢がたまりやすく、かつ取り除きにくくなり、また、歯周ポケットの奥には酸素が届きにくいので、酸素を嫌う性質を持つ歯周病菌が繁殖しやすくなる。歯肉炎を放っておくと炎症がセメント質や歯根膜まで広がり、歯周炎と呼ばれる段階になる。さらに進行すると炎症は歯槽骨にまで達し、骨が溶けていき、そして、ついには土台を失った歯が抜け落ちてしまう。
【００１３】
歯周病の主な原因菌として、Actinobacillus actinomycetemcomitans、Porphyromonas gingivalis、Prevotella intermedia、Bacteroides forsythus、Treponema denticolaなどが報告されている。
また、近年、ある種のヒトの感染症と動脈硬化症との関連性についての報告がある。一つの可能性のある機序は、感染因子により血管内皮細胞の障害が惹起され、動脈硬化で見られる炎症性反応を部分的に引き起こすというものである。感染症の役割に関しては、Daneshらにより概説されており（非特許文献１参照）、Chlamydia pneumoniae、Helicobacter pylori、歯周病菌、サイトメガウィルスなどの感染が心疾患に関係しているという報告がある。
【００１４】
歯周病を含めた口腔感染症が冠動脈疾患と関連性があるという調査研究がある。Mattilaらは心筋梗塞患者１００人を対照者１０２人と比較評価を行っている（非特許文献２参照）。彼らは、う蝕、歯周炎、根尖病巣、歯冠周囲炎の程度を評価する総合歯科指数（total dental index：ＴＤＩ）と、根尖病巣、垂直骨欠損、根分岐部病変の程度を評価するパントモグラフィック指数を用いて口腔健康状態を評価した。そして、年齢、社会階級、喫煙、血中脂質、糖尿病などについて統計的に補正した後、心筋梗塞患者は対照者と比較して口腔の健康状態が悪いことを報告した。
【００１５】
また、Mattilaらは、重度並びに軽度の心血管系疾患を持った２１４人（男性１８２人、女性３２人）の被験者について７年間にわたる追跡調査を行い、口腔健康状態の評価としてＴＤＩを測定した（非特許文献３参照）。彼らは、喫煙、糖尿病、高血圧、社会経済的状態、心筋梗塞の既往歴、体重、血中脂質などに関して統計的に補正した後、ＴＤＩを用いることによって、統計的に有意に冠動脈疾患の発症を予測できることを報告した。
【００１６】
歯周病菌がアテローム（粥腫）形成に直接的に影響を及ぼしている可能性を示唆する知見としては、頚動脈、冠状動脈内のアテローム中にPorphyromonas gingivalisが発見されたこと、in  vitroでP.gingivalisが血管内皮細胞の細胞内への侵入が認められ、その中で増殖している可能性が示唆されたこと、Porphyromonas gingivalisが血小板凝集能を持つこと、などの報告がある（非特許文献４〜６参照）。
【先行技術文献】
【非特許文献】
【００１７】
【非特許文献１】Danesh et. al., Lancet 1997; 350: 430-6 "Chronic infections and coronary heart disease:is there a link?"
【非特許文献２】Mattila et. al., BMJ 1989; 298: 779-82 "Assiciation between dental health and acute myocardial infarction."
【非特許文献３】Clin Infect Dis 1995; 20: 588-92 "Dental infection and the risk of new coronary events: prospective study of patients with documented coronary artery disease."
【非特許文献４】Haraszthy et. al., J Dent Res 1998; (Special Issue): 273 "Identification of pathogens in atheromatous plaques [abstract]."
【非特許文献５】Deshpande et. al., Infect Immune 1998; 66: 5337-43 "Invasion of aortic and heart endothelial cells by Porphyromonas gingivalis."
【非特許文献６】Herzberg et. al., J periodontal 1996; 67: 1138-42 "Effect of oral flora on platelets:possible consequences in cardiovascular disease."
【発明の概要】
【発明が解決しようとする課題】
【００１８】
上記のように、歯周病菌と心血管系疾患との関連性については、多くの横断的研究、ケースコントロールの研究、縦断的研究などの疫学調査から得られた所見により立証されている。しかしながら、歯周病菌、具体的にはPrevotella intermediaに関して、アテローム形成に関与するとする報告はなく、また、脳梗塞との関連についての報告もない。
【００１９】
脳梗塞およびその病態の検査方法として、頭痛などの自覚症状の他、身体所見、血液学的検査、血管造影などの理学的検査方法が知られているが、確立した臨床学的指標は見出されていなかった。このため、脳梗塞およびその病態や、近い将来の病態の変化や臨床症状の変化を把握・予知することができる臨床化学的指標およびその検査薬並びに検査方法が求められていた。
本発明は、脳梗塞およびその病態の検査薬並びに検査方法を提供することを目的とする。特に、脳梗塞の発症の予知および予測を可能とする検査薬並びに検査方法を提供することにより、脳梗塞の発症の予防に有用な情報を提供することを目的とする。
【課題を解決するための手段】
【００２０】
本発明の上記課題は、血液検体中のPrevotella intermediaに対する抗体価を測定することにより、達成された。詳細には、以下の＜１＞および＜４＞に記載の手段により解決された。好ましい実施態様である＜２＞、＜３＞、＜５＞〜＜７＞と共に以下に記載する。
＜１＞  被験者検体中のPrevotella intermediaに対する抗体の量を測定することを特徴とする脳梗塞およびその病態の検査薬、
＜２＞  前記抗体がImmunogulobulins（ＩｇＧ抗体、ＩｇＡ抗体およびＩｇＭ抗体）である＜１＞に記載の検査薬、
＜３＞  前記抗体がＩｇＧ抗体である＜１＞に記載の検査薬、
＜４＞  被験者検体中のPrevotella intermediaに対する抗体の量を測定することを特徴とする脳梗塞およびその病態の検査方法、
＜５＞  該方法は被験者由来の被験試料に、Prevotella intermedia、Prevotella intermediaに特異的なたんぱく質、および、Prevotella intermediaに特異的なアミノ酸配列を有するペプチドよりなる群から選択される少なくとも１つを接触させる工程、前記試料中のPrevotella intermediaに対する抗体と、該試料と接触させたPrevotella intermedia、Prevotella intermediaに特異的なたんぱく質、および、Prevotella intermediaに特異的なアミノ酸配列を有するペプチドよりなる群から選択される少なくとも１つとの間で抗原抗体反応が生じ得る条件でインキュベートする工程、抗原抗体反応によりPrevotella intermedia、Prevotella intermediaに特異的なたんぱく質、および、Prevotella intermediaに特異的なアミノ酸配列を有するペプチドよりなる群から選択される少なくとも１つに結合した前記試料由来のPrevotella intermediaに対する抗体量を測定する工程、および、前記抗体量に関する測定値に基づいて前記被験者の脳梗塞およびその病態を判定する工程を含む＜４＞に記載の検査方法、
＜６＞  前記抗体がImmunogulobulins（ＩｇＧ抗体、ＩｇＡ抗体およびＩｇＭ抗体）である＜４＞または＜５＞に記載の検査方法、
＜７＞  前記抗体がＩｇＧ抗体である＜４＞または＜５＞に記載の検査方法。
【発明の効果】
【００２１】
本発明によれば、脳梗塞およびその病態の検査薬並びに検査方法を提供することができた。
【発明を実施するための形態】
【００２２】
以下、本発明の好適な実施形態を説明する。本発明は、本明細書に開示されている内容と当該分野における技術常識に基づいて実施することができる。本発明によれば、脳梗塞およびその病態の検査薬および検査方法を提供することができる。特に、脳梗塞の発症の予知および予測を可能とする検査薬および検査方法を提供することにより、脳梗塞の発症予防を可能とすることが期待される。
【００２３】
本発明の脳梗塞およびその病態の検査薬は、被験者検体中のPrevotella intermediaに対する抗体の量を測定することを特徴とする。
また、本発明の脳梗塞およびその病態の検査方法は、被験者検体中のPrevotella intermediaに対する抗体の量を測定することを特徴とする。
【００２４】
本発明において、被験者検体は、被験者より採取する血液検体であることが好ましく、該血液検体は、全血、血漿、血清のいずれであっても良いが、血清を使用することが好ましい。血漿を使用する場合には、抗凝固剤としてＥＤＴＡ（ethylenediaminetetraacetic acid）やクエン酸ナトリウムなどを使用することができる。
また、採血後は氷冷下におき、血漿あるいは血清を得る場合、冷却下で遠心分離を行うことが好ましい。
【００２５】
本発明において、脳梗塞およびその病態を検査するとは、自覚症状や理学的検査方法等による検査成績がない場合においても、所望の精度で、近い将来の病態の変化（重症化または回復）、臨床症状の変化を把握、または予知することができることをいう。
すなわち、本発明の脳梗塞およびその病態の検査方法とは、脳梗塞の発症を検査する方法に限らず、さらに脳梗塞の予知診断を行うための検査方法である。特に、本発明の検査方法は、脳梗塞の予知検査方法として好ましく使用できる。
【００２６】
脳梗塞およびその病態の検査は、被験者検体中のPrevotella intermediaに対する抗体の存在量について、一定の基準を設定し、測定した被験者検体中の値を基準と比較、評価することができる。
すなわち、本発明の脳梗塞およびその病態の検査方法は、被験者検体中のPrevotella intermediaに対する抗体の存在量について、一定の基準（基準値）を設定する工程、血液検体中のPrevotella intermediaに対する抗体の量（存在量）を測定する工程、および、該測定値と、基準値とを対比する工程とを有することが好ましい。なお、該基準値は、１つの基準値を設ける態様に限定されるものではなく、複数の基準値を設けてもよい。具体的には、２つの基準値を設け、高抗体価グループを高リスクグループ、中抗体価グループを中リスクグループ、低抗体価グループを低リスクグループのように区分することが例示できる。
【００２７】
測定する抗Prevotella intermedia抗体は、ＩｇＧ抗体でもよく、また、immunoglobulinsでもよい。ここで、immunoglobulinsとは、ＩｇＧ、ＩｇＡおよびＩｇＭ抗体を合わせた免疫グロブリンを意味する。
すなわち、本発明において、Prevotella intermediaに対するＩｇＧ抗体の存在量を測定することも可能であり、Prevotella intermediaに対するＩｇＧ抗体、ＩｇＡ抗体およびＩｇＭ抗体の総量を測定することもできる。
【００２８】
基準の設定の仕方としては、臨床検査の分野でよく使用される９５パーセントタイル値やＲＯＣ曲線を用いて所望の検査精度から設定する方法などを挙げることができる。
また、前記の評価は、血液検体中のPrevotella intermediaに対する抗体の存在量の測定を単独で行う方法の他に、抗体存在量の測定値と、それ以外の指標、例えば公知の血液マーカーや、急性脳梗塞の危険因子である高脂血症、心房細動の有無、内頸動脈狭窄率の有無等の他のマーカーや因子と関連付けて行う方法が例示できる。これらの因子と関連付けて評価を行うことにより、より精度の高い検査方法となるため好ましい。
【００２９】
脳梗塞およびその病態の検査方法は、被験者由来の被験試料に、Prevotella intermedia、Prevotella intermediaに特異的なたんぱく質、および、Prevotella intermediaに特異的なアミノ酸配列を有するペプチドよりなる群から選択される少なくとも１つを接触させる工程、前記試料中のPrevotella intermediaに対する抗体と、該試料と接触させたPrevotella intermedia、Prevotella intermediaに特異的なたんぱく質、および、Prevotella intermediaに特異的なアミノ酸配列を有するペプチドよりなる群から選択される少なくとも１つとの間で抗原抗体反応が生じ得る条件でインキュベートする工程、抗原抗体反応によりPrevotella intermedia、Prevotella intermediaに特異的なたんぱく質、および、Prevotella intermediaに特異的なアミノ酸配列を有するペプチドよりなる群から選択される少なくとも１つに結合した前記試料由来のPrevotella intermediaに対する抗体量を測定する工程、および、前記抗体量に関する測定値に基づいて前記被験者の脳梗塞およびその病態を判定する工程を含むことが好ましい。
Prevotella intermediaに対する抗体の測定には、Prevotella intermediaに対する抗体と抗原抗体反応する物質が使用される。このような物質としては、Prevotella intermediaの菌体をそのままマイクロプレート等の支持体等に固定して使用することもできるし、Prevotella intermediaに特異的なたんぱく質および／またはPrevotella intermediaに特異的なアミノ酸配列を有するペプチド等を抗原として使用することもできるが、本発明はこれらに限定されるものではない。
被験者由来の被験試料に上記の菌体、タンパク質およびペプチドよりなる群から選択された少なくとも１つを接触させることが好ましい。上記の菌体、タンパク質およびペプチドは、１種単独で使用することもでき、また、複数種を任意の比率で併用することもでき特に限定されないが、操作の簡便性の観点から、１種を単独で使用することが好ましい。なお、以下の説明において、被験試料に接触させた上記菌体、タンパク質およびペプチドを総称して、Ｐｉ抗原ともいう。
【００３０】
次に、被験試料中のPrevotella intermediaに対する抗体（以下、抗Ｐｉ抗体ともいう。）と、上記Ｐｉ抗原とが抗原抗体反応を生じうる条件でインキュベートを行う。該インキュベートの温度および時間並びにその他の条件（撹拌条件等）は、公知の方法および条件から適宜選択すればよい。
さらに、被験試料に接触させたＰｉ抗原と抗原抗体反応により結合した、被験試料中の抗Ｐｉ抗体の量を測定する。測定方法は、公知の測定方法を使用すればよく、特に限定されない。Prevotella intermediaに対する抗体との抗原抗体反応を利用した測定方法としては、標識として赤血球、ラテックス、放射性同位元素、酵素、発光物質、蛍光物質、金属分子、金属ゲル、バクテリオファージなどを用いる標識免疫測定方法を挙げることができる。
このようにして得られた抗Ｐｉ抗体量に関する測定値に基づき、被験者の脳梗塞およびその病態を判定することにより、脳梗塞およびその病態の検査を行う。
【００３１】
また、具体的には、以下の方法が例示できる。Prevotella intermediaの菌体を支持体上に固定し、これに血液検体として被験者血清を反応させた後、支持体をリンスする。酵素等で標識された抗ヒトＩｇＧ抗体または抗ヒトimmmunoglobulins抗体と反応させ、リンスする。そして、酵素基質等を用いて発色させ、Prevotella intermediaに対する抗体の量を数値化することができる。
【実施例】
【００３２】
以下に実施例を挙げて本発明をさらに詳細に説明するが、本発明はこれらに限定されるものではない。
【００３３】
＜Privotella intermedia菌の培養＞
Privotella intermedia菌ATCC25611株を、ＧＡＭ寒天培地にて、嫌気培養し、寒天培地からPrevotella intermedia菌（以下、「Ｐｉ菌」と略す。）を釣菌し、ＰＢＳに懸濁した。
【００３４】
＜標準液の作製＞
下記に示す方法にてヒト血清４０例を測定し、抗Ｐｉ抗体価の高い血清１０例を混合し、３８％硫安塩析した。ｐＨ７．０  緩衝液に透析した後、Protein-Gカラムに展開した。ｐＨ２．７  ０．１Ｍ  グリシン−塩酸緩衝液にて、Protein-Gカラムに結合したＩｇＧ画分を溶出し、１Ｍ  Ｔｒｉｓ−塩酸緩衝液を加えて、ｐＨを７．０とし、標準液原液を得た。
【００３５】
＜血中抗Prevotella interedia抗体価の測定＞
ＰＢＳに懸濁したＰｉ菌を、ＰＢＳにて希釈し、吸収波長６００ｎｍにて吸光度を０．６に調整した（Ｐｉ菌原液）。Ｐｉ菌原液を、ＰＢＳにて１０１倍希釈し、マイクロプレートの各ｗｅｌｌに、１００μＬずつ分注した。マイクロプレートをシールした後、４℃にて一晩静置した。ＰＢＳにて３回洗浄した後、２％ＢＳＡ、５％ショ糖および０．１％アジ化ナトリウムを含むＰＢＳ（ブロッキング液）を、各ｗｅｌｌに３５０μＬずつ分注した。マイクロプレートをシールした後、３７℃で４時間静置した後、密封できるアルミ袋に入れ、４℃にて保存した（Ｐｉ菌結合プレート）。
標準液原液を、１％ＢＳＡ、０．１％アジ化ナトリウム、５ｍＭ  ＥＤＴＡ−Ｎａ2、５ｍＭ  塩化マグネシウムを含むｐＨ７．０  ０．１Ｍ燐酸緩衝液（以下、「検体希釈液」と略す）にて適宜希釈し、標準曲線用標準液とした。
標準曲線用標準液および患者血清を、検体希釈液を用いて４２０倍希釈し、それぞれを、Ｐｉ菌結合プレートの各ｗｅｌｌに１００μＬずつ加えた。マイクロプレートをシールした後、室温にて１時間静置した。０．０５％ｔｗｅｅｎ−２０を含むＰＢＳ（洗浄液）にて、マイクロプレートを６回洗浄し、ぺルオキシダーゼ標識抗ヒトＩｇＧ抗体を、各ｗｅｌｌに１００μＬずつ加えた。マイクロプレートをシールした後、室温にて１時間静置した。洗浄液にて、マイクロプレートを８回洗浄し、酵素基質液として３，３’，５，５’−テトラメチルベンチジン塩酸塩を、各ｗｅｌｌに１００μＬずつ加えた。マイクロプレートをシールした後、室温にて３０分間静置した。２規定硫酸溶液を、各ｗｅｌｌに１００μＬずつ加えた後、マイクロプレートリーダーを用いて、主波長４５０ｎｍ、副波長６５０ｎｍにて、各ｗｅｌｌの吸光度を測定した。
標準曲線用標準液の、抗Ｐｉ菌抗体価を横軸に、それぞれの吸光度を縦軸にプロットし、各プロットを滑らかに結んで、標準曲線を作成した。作成した標準曲線を用いて、各患者血清の吸光度から、各患者血清中の抗Ｐｉ菌・ＩｇＧ抗体価を算出した。
【００３６】
＜患者血清の取得＞
香川大学医学部付属病院、おさか脳神経外科病院、および、国立病院機構高松医療センターを受診した患者より、同意書を取得した後、各患者より血液を採取し、血清を得た（患者血清）（２４３名）。
【００３７】
＜測定結果と解析結果＞
１．生活習慣との関係
脳梗塞と関連性があるとされる生活習慣因子である「飲酒」、「喫煙」と抗Ｐｉ菌抗体価との関連性を解析した。
【００３８】
（１）飲酒との関連性
一日の飲酒量として、「ほとんどなし」、「１〜２合」、「２〜３合」および「３合以上」の４群に別けて、抗Ｐｉ菌抗体価の解析（one way ANOVA with Bonferoni検定）を行ったところ、いずれの群においても有意差は認められなかった。飲酒と抗Ｐｉ菌・ＩｇＧ抗体価との関係を以下の表に示す。
【００３９】
【表１】
0005397853.tif 000002
【００４０】
（２）喫煙との関連性
一日の喫煙量として、「０または禁煙」、「２０本未満」、「２０〜３９本」および「４０本以上」の４群に別けて、抗Ｐｉ菌抗体価の解析（one way ANOVA with Bonferoni検定）を行ったところ、いずれの群においても有意差は認められなかった。喫煙と抗Ｐｉ菌・ＩｇＧ抗体価との関係を以下の表に示す。
【００４１】
【表２】
0005397853.tif 000003
【００４２】
２．脳梗塞の病因との関係
脳梗塞の病因とされる「高脂血症」、「高血圧」、「糖尿病」、「心房細動」、「内頸動脈狭窄」と抗Ｐｉ菌抗体価との関連性を解析した。
【００４３】
（１）高脂血症との関連性
高脂血症あり群と高脂血症なし群の２群に別けて、抗Ｐｉ菌抗体価の解析（ｔ検定）を行ったところ、１％未満の危険率で有意差が認められた（ｐ値＜０．０００１）。高脂血症と抗Ｐｉ菌・ＩｇＧ抗体価との関係を以下の表に示す。
【００４４】
【表３】
0005397853.tif 000004
【００４５】
（２）高血圧との関連性
高血圧あり群と高血圧なし群の２群に別けて、抗Ｐｉ菌抗体価の解析（ｔ検定）を行ったところ、有意差は認められなかった。高血圧と抗Ｐｉ菌・ＩｇＧ抗体価との関係を以下の表に示す。
【００４６】
【表４】
0005397853.tif 000005
【００４７】
（３）糖尿病との関連性
糖尿病あり群と糖尿病なし群の２群に別けて、抗Ｐｉ菌抗体価の解析（ｔ検定）を行ったところ、有意差は認められなかった。糖尿病と抗Ｐｉ菌・ＩｇＧ抗体価との関係を以下の表に示す。
【００４８】
【表５】
0005397853.tif 000006
【００４９】
（４）心房細動との関連性
心房細動あり群と心房細動なし群の２群に別けて、抗Ｐｉ菌抗体価の解析（ｔ検定）を行ったところ、１％未満で有意差が認められた（ｐ値０．００２３）。心房細動と抗Ｐｉ菌・ＩｇＧ抗体価との関係を以下の表に示す。
【００５０】
【表６】
0005397853.tif 000007
【００５１】
（５）内頸動脈狭窄との関連性
内頸動脈狭窄あり群と内頸動脈狭窄なし群の２群に別けて、抗Ｐｉ菌抗体価の解析（ｔ検定）を行ったところ、１％未満の危険率で有意差が認められた（ｐ値＜０．０００１）。内頸動脈狭窄と抗Ｐｉ菌・ＩｇＧ抗体価との関係を以下の表に示す。
【００５２】
【表７】
0005397853.tif 000008
【００５３】
３．脳梗塞との関係
脳梗塞の有無および、脳梗塞患者における病型と抗Ｐｉ菌抗体価との関係を解析した。
【００５４】
（１）脳梗塞の有無
急性脳梗塞群と脳卒中なし群に別けて、抗Ｐｉ菌抗体価の解析（ｔ検定）を行ったところ、５％未満の危険率で有意差が認められた（ｐ値０．００３８）。脳梗塞と抗Ｐｉ菌・ＩｇＧ抗体価との関係を以下の表に示す。
【００５５】
【表８】
0005397853.tif 000009
【００５６】
なお、脳卒中なし群とは、頭痛、めまい等他疾患にて受診され、ＭＲＩにより脳卒中が完全に否定された群を示している。
【００５７】
（２）脳梗塞病型との関係
脳梗塞患者を「アテローム血栓性脳梗塞」、「ラクナ梗塞」、「心原性脳塞栓」に分類し、脳卒中なし群との差異に関して抗Ｐｉ菌抗体価の解析（one way ANOVA with Bonferroni検定）を行ったところ、アテローム血栓性脳梗塞群の抗Ｐｉ菌抗体価は、脳卒中なし群に対し、１％未満の危険率で有意差が認められた（ｐ値０．０００４）。また、心原性脳塞栓群、ラクナ梗塞群の抗Ｐｉ菌抗体価は、脳卒中なし群と比較して有意差は認められなかった（ｐ値０．２１５６、０．５７０３）。脳卒中の病型と抗Ｐｉ菌・ＩｇＧ抗体価との関係を以下の表に示す。
【００５８】
【表９】
0005397853.tif 000010
【００５９】
以上のことをまとめると、抗Ｐｉ抗体価は、「飲酒（表１）」や「喫煙歴（表２）」「高血圧（表４）」および「糖尿病（表５）」との関連性は認められなかったが、「高脂血症あり群（表３）」で有意に高値を示し、さらには、「心房細動あり群（表６）」および「内頸動脈狭窄あり群（表７）」で有意に高値であった。
また、脳梗塞患者群における抗Ｐｉ抗体価が、ＭＲＩにて脳梗塞の所見が見られなかった群に比べ有意に高値であった（表８）ことから、血中抗Ｐｉ菌抗体価の測定は、脳梗塞の予知に有効であることが判明した。さらに、同疾病の予知は、その病型のうち、アテローム血栓性脳梗塞において最も有効であることも示された（表９）。
【００６０】
本発明によれば、血液検体中の抗Ｐｉ菌抗体価を測定することにより、脳梗塞の発症を予測することが可能であり、本発明は、臨床診断や治療法を決定するための検査方法として有用なものである。
【産業上の利用可能性】
【００６１】
脳梗塞（脳血管障害）の発症を予知することにより、脳梗塞の発症抑制および予防が可能になる。